(57)【特許請求の範囲】
【請求項１】
カメラに設けたアクセサリーシューに対して、自身の端子を上記カメラのカメラ側端子に接触させながら着脱可能なシューを備えるカメラ用アクセサリーにおいて、
上記アクセサリーシューに対してスライドさせながら挿脱可能なベースと、
上記ベースの上記カメラ側端子側の端面から上記カメラ側端子側に突出する方向及び該端面側に戻る方向に移動可能な上記端子と、
上記ベースが上記アクセサリーシューの内部空間に位置するときに、該アクセサリーシューの外側に位置する、上記端子の上記ベースに対する上記移動方向と平行な軸線回りに回転可能なロック部材と、
上記ベースの一部に形成した、上記アクセサリーシューの一部である被挟持部に対して上記アクセサリーシューの内部空間側から接触可能な取付部と、
上記ロック部材を、上記回転に伴って、上記取付部との間隔が最大かつ上記被挟持部の厚みより大きくなる最大離間位置と、該取付部との間隔が上記被挟持部の厚みと同じか又は小さくなる挟持位置と、の間で上記ベースに対して上記端子の上記移動方向と平行に移動させるロック部材移動機構と、
上記端子を支持しかつ上記ベースに対して相対移動可能な端子支持部材と、
上記ロック部材の回転に伴って上記端子支持部材を上記ベースに対して上記端子の上記移動方向に移動させる端子移動機構と、
を備え、
上記ベースを上記アクセサリーシューに装着した状態で上記ロック部材が上記挟持位置に位置するときに、上記ベースと上記アクセサリーシューが固定され、
上記ロック部材移動機構による上記ベースに対する上記ロック部材の移動と、上記端子移動機構による上記ベースに対する上記端子支持部材の移動とによって、上記ベースに対して上記移動方向への上記端子の位置が変化し、
上記ロック部材が上記挟持位置に位置するとき、上記端子が上記カメラ側端子と接触可能な位置まで上記端面から突出することを特徴とするカメラ用アクセサリー。
【請求項２】
請求項１記載のカメラ用アクセサリーにおいて、
上記ロック部材移動機構が、上記ロック部材を上記最大離間位置と上記挟持位置との間の中間位置へ移動させることが可能であり、
上記ロック部材が上記中間位置に位置するときに、上記端子が上記カメラ側端子と接触可能な位置まで上記端面から突出するカメラ用アクセサリー。
【請求項３】
請求項１または２記載のカメラ用アクセサリーにおいて、
上記ロック部材移動機構が、
上記ベースと上記ロック部材の一方に形成した第一カム溝と、
他方に形成した、該第一カム溝に対して相対移動可能に係合する第一カムフォロアと、
を備えるカメラ用アクセサリー。
【請求項４】
請求項１から３のいずれか１項記載のカメラ用アクセサリーにおいて、
上記端子移動機構が、
上記端子支持部材と上記ロック部材の一方に形成した第二カム溝と、
他方に形成した、該第二カム溝に対して相対移動可能に係合する第二カムフォロアと、
を備えるカメラ用アクセサリー。
【請求項５】
請求項１、３、４のいずれか１項記載のカメラ用アクセサリーにおいて、
上記ロック部材移動機構が、上記ロック部材を上記最大離間位置と上記挟持位置との間の中間位置へ移動させることが可能であり、
上記ロック部材が上記中間位置に位置するときに、上記端子が上記ベースの上記端面から上記カメラ側端子側に突出し、かつ、上記ロック部材が上記挟持位置に位置するときに、上記端子の上記端面からの突出量が上記中間位置のとき以上になるカメラ用アクセサリー。
【発明の詳細な説明】
【技術分野】
【０００１】
本発明は、カメラのアクセサリーシューに対して着脱可能なカメラ用アクセサリーに関する。
【背景技術】
【０００２】
特許文献１はアクセサリーシューを有するカメラと、アクセサリーシューに着脱可能なストロボと、を開示している。
アクセサリーシューは前後両面及び上面の一部が開口したものであり、その内部空間の底面にはカメラ内に設けた電源回路と接続する金属製のカメラ側端子が設けてある。
ストロボの下端部にはシュー（取付足）が設けてある。このシューは、アクセサリーシューの内部空間に対して挿脱可能なベース（支持部材）と、ベースの底面に固定したシュー金具と、ベースに支持しかつシュー金具の下端面から下方に突出した金属製の端子と、ベースに対して上下方向の軸線周りに回転しながら上下方向にスライド可能なロック部材（固定リング）と、を備えている。
さらにシューは、ロック部材の回転動作に伴って、端子をベースに対して水平方向に対してスライドさせるスライド機構を備えている。ロック部材を初期位置からロック位置側へ回転させると、ロック部材は徐々にベースに対して接近し（下方へ移動し）、ロック位置まで移動したときにベースに対して最も接近する。
【０００３】
ストロボをカメラに対して装着するには、アクセサリーシューの上面開口からストロボの大部分をアクセサリーシューの上方へ突出させながら、ロック部材を初期位置に位置させたシューのシュー金具及び端子をアクセサリーシューの後面からアクセサリーシューの内部空間に挿入する。するとベースの上面がアクセサリーシューの天井面に接触しかつ端子がカメラ側端子に接触する。
この状態でロック部材をロック位置側へ回転させると、端子がカメラ側端子に対して水平方向にスライドするので、端子やカメラ側端子の表面に付着していた酸化膜や汚れが除去される。そのため端子とカメラ側端子が確実に導通可能となる。
そしてロック部材がロック位置まで移動すると、ロック部材がアクセサリーシューの上面に対して上方から接触する。即ち、シュー金具とロック部材がアクセサリーシューを上下方向から挟持するので、ストロボがアクセサリーシュー（カメラ）に対して確実に固定される。
またロック部材を初期位置に戻した上で、シュー金具及び端子をアクセサリーシューに対して水平方向へスライドさせれば、ストロボ（シュー金具及び端子）をアクセサリーシューから取り外すことが可能である。
【先行技術文献】
【特許文献】
【０００４】
【特許文献１】特開２０１１−２６８１号公報
【発明の概要】
【発明が解決しようとする課題】
【０００５】
特許文献１では、シュー金具及び端子をアクセサリーシューの後面からアクセサリーシューの内部空間に挿入したときにシュー金具の上面がアクセサリーシューの天井面に接触しかつ端子がカメラ側端子に接触する程度に、シューの端子がシュー金具の下面から下方に（常に）突出している。
そのためシュー金具及び端子のアクセサリーシューに対する上下位置を正確に合わせないと、シュー金具及び端子をアクセサリーシューの内部空間に対して挿入できない。即ち、ストロボのアクセサリーシューに対する装着が容易ではない。
さらにストロボ（シュー金具及び端子）をアクセサリーシューから取り外す際には、シュー金具及び端子とアクセサリーシューの内面（及びカメラ側端子）との間で摩擦抵抗が発生するので、ストロボのアクセサリーシューに対する取り外しも容易ではない。
【０００６】
本発明は、端子をカメラ側端子に対して確実に接触可能でありながら、カメラのアクセサリーシューに対して簡単に着脱可能なカメラ用アクセサリーを提供することを目的とする。
【課題を解決するための手段】
【０００７】
本発明のカメラ用アクセサリーは、カメラに設けたアクセサリーシューに対して、自身の端子を上記カメラのカメラ側端子に接触させながら着脱可能なシューを備えるカメラ用アクセサリーにおいて、上記アクセサリーシューに対してスライドさせながら挿脱可能なベースと、上記ベースの上記カメラ側端子側の端面から上記カメラ側端子側に突出する方向及び該端面側に戻る方向に移動可能な上記端子とを備えており、該端子を上記ベースに対して以下のように移動させることを特徴としている。
【０００８】
上記ベースを上記アクセサリーシューに装着したときに、該ベースと上記アクセサリーシューを固定させる手段として、ロック部材と、取付部と、ロック部材移動機構を備える。ロック部材は、上記端子の上記ベースに対する上記移動方向と平行な軸線回りに回転可能であり、上記ベースが上記アクセサリーシューの内部空間に位置するときに、該アクセサリーシューの外側に位置する。取付部は、上記ベースの一部に形成され、上記アクセサリーシューの一部である被挟持部に対して上記アクセサリーシューの内部空間側から接触可能である。ロック部材移動機構は、上記ロック部材を、上記回転に伴って、上記取付部との間隔が最大かつ上記被挟持部の厚みより大きくなる最大離間位置と、該取付部との間隔が上記被挟持部の厚みと同じか又は小さくなる挟持位置と、の間で上記ベースに対して上記端子の移動方向と平行に移動させる。上記ベースを上記アクセサリーシューに装着した状態で上記ロック部材が上記挟持位置に位置するときに、上記ベースと上記アクセサリーシューが固定される。
【０００９】
また、上記端子を支持しかつ上記ベースに対して相対移動可能な端子支持部材と、上記ロック部材の回転に伴って上記端子支持部材を上記ベースに対して上記移動方向に移動させる端子移動機構と、を備える。
【００１０】
上記ロック部材移動機構による上記ベースに対する上記ロック部材の移動と、上記端子移動機構による上記ベースに対する上記端子支持部材の移動とによって、上記ベースに対して上記移動方向への上記端子の位置が変化する。そして、上記ロック部材が上記挟持位置に位置するとき、上記端子が上記カメラ側端子と接触可能な位置まで上記端面から突出する。
【００１１】
上記ロック部材移動機構が、上記ベースと上記ロック部材の一方に形成した第一カム溝と、他方に形成した、該第一カム溝に対して相対移動可能に係合する第一カムフォロアと、を備えてもよい。
【００１２】
上記端子移動機構が、上記端子支持部材と上記ロック部材の一方に形成した第二カム溝と、他方に形成した、該第二カム溝に対して相対移動可能に係合する第二カムフォロアと、を備えてもよい。
【００１３】
上記ロック部材移動機構が、上記ロック部材を上記最大離間位置と上記挟持位置との間の中間位置へ移動させることが可能であり、上記ロック部材が上記中間位置に位置するときに、上記端子が上記カメラ側端子と接触可能な位置まで上記端面から突出してもよい。
さらに、上記ロック部材が上記最大離間位置と上記挟持位置の間の中間位置に位置するときに、上記端子が上記ベースの上記端面から上記カメラ側端子側に突出し、かつ、上記ロック部材が上記挟持位置に位置するときに、上記端子の上記端面からの突出量を上記中間位置のとき以上にしてもよい。
【発明の効果】
【００１４】
本発明によれば端子をカメラ側端子に対して確実に接触可能でありながら、カメラのアクセサリーシューに対して簡単に着脱できる。
【図面の簡単な説明】
【００１５】
【図１】本発明の一実施形態のカメラとストロボの分離状態の前斜め上方から見た斜視図である。
【図２】カメラとストロボの分離状態の後斜め下方から見た斜視図である。
【図３】カメラとストロボの接続状態の前斜め上方から見た斜視図である。
【図４】ストロボのシューの前斜め上方から見た分解斜視図である。
【図５】ストロボのシューの後斜め下方から見た分解斜視図である。
【図６】シューの底面図である。
【図７】ロック部材の模式的な図であり、（ａ）は平面図であり、（ｂ）は（ａ）のｂ−ｂ矢線に沿う縦断側面図である。
【図８】本体取付部とベースの模式的な側面図である。
【図９】ストロボのシューの取付部をカメラのアクセサリーシューに挿入したときの模式的であり、（ａ）は図６のIX(ａ)-IX(ａ)矢線に沿う断面図であり、（ｂ）は図６のIX(ｂ)-IX(ｂ)矢線に沿う断面図である。
【図１０】ロック部材を中間位置まで回転させたときの図９と同様の断面図である。
【図１１】ロック部材をロック位置まで回転させたときの図９と同様の断面図である。
【発明を実施するための形態】
【００１６】
以下、本発明の一実施形態について添付図面を参照しながら説明する。以下の説明の前後、左右、上下の各方向は図中の矢線方向を基準としている。
まずストロボ２０を着脱可能なカメラ１０の基本構造について説明する。
ミラーレスタイプのカメラ１０は、互いに着脱可能なカメラボディ１１と交換レンズ１８とを備えている。カメラボディ１１の外装ケース１１ａの上面の中央部には、金属製のアクセサリーシュー１２が固定してある。図示するようにアクセサリーシュー１２は、平面視略矩形の底板部１３と、底板部１３の左右両側部から上方に延びる一対の側壁部１４と、左右の側壁部１４の上縁部から互いに近づく方向に略水平に延びる一対の被挟持部１５と、を一体的に備えている。外装ケース１１ａの上面には金属製の４つのカメラ側端子１１ｂが設けてある（図１、図９−図１１参照）。このカメラ側端子１１ｂはカメラボディ１１の内部に設けた電源回路と接続するものである。さらに外装ケース１１ａの上面にはロック用凹部１１ｃが凹設してある（図１参照）。底板部１３には、底板部１３の後縁部から前方に延びる平面視略矩形の露出用切欠１３ａが設けてあり、この露出用切欠１３ａを通してカメラ側端子１１ｂ及びロック用凹部１１ｃが上方に露出している。
【００１７】
続いてストロボ２０（カメラ用アクセサリー）の構造について説明する。
ストロボ２０は、発光部を有するストロボ本体（図示略）と、ストロボ本体の下部から下方に突出するシュー２１と、を一体的に具備している。
シュー２１は大きな構成要素として本体取付部２２、ロック部材２７（ロック機構、ロック部材第一構成部２８、ロック部材第二構成部６７）、端子ユニット３８、ベース７８、及びグランド接点部材９２を備えている。
樹脂等の絶縁性材料からなる本体取付部２２の中心部には本体取付部２２を上下方向に貫通する断面円形の中央貫通孔２３が形成してある。本体取付部２２の下面は円形のロック部材支持面２４により構成してあり、ロック部材支持面２４の下面には中央貫通孔２３を中心とする円弧形状をなす一対の第一カム溝形成用突起２５（第一カム溝）が突設してある。さらに第一カム溝形成用突起２５の下端面は二つの面により形成してある（なお、第一カム溝形成用突起２５の下端面に、この二つの面に加えて他の面を形成してもよい）。即ち、第一カム溝形成用突起２５の下端面は、本体取付部２２を上方から見たときに（中央貫通孔２３を中心としかつ第一カム溝形成用突起２５が位置する円周の）時計方向側に位置する水平面からなるピン突出許容カム面２５ａと、反時計方向側に位置しかつピン突出許容カム面２５ａ（水平面）に対して傾斜するピン突出量調整用カム面２５ｂとを有している。ピン突出量調整用カム面２５ｂは時計方向側から反時計方向側に向かうに従って徐々に下方へ向かう傾斜面である。さらに本体取付部２２には、本体取付部２２を上下方向に貫通する四つのボルト用貫通孔２６が形成してある。
【００１８】
略円環状をなしかつ樹脂等の絶縁性材料からなるロック部材第一構成部２８の外周面には摘み部２９が突設してある。ロック部材第一構成部２８の中心部には第一カム溝形成用突起２５（及び中央貫通孔２３）と同軸をなす断面円形の貫通孔が形成してある。この貫通孔の内径は二段階で変化している。即ち、ロック部材第一構成部２８の上部を構成する環状突部３０の内周面である回転支持孔３０ａは、ロック部材第一構成部２８の下部の内周面より小径かつ第一カム溝形成用突起２５の外周面と略同径である。ロック部材第一構成部２８は、環状突部３０の回転支持孔３０ａに対して一対の第一カム溝形成用突起２５の外周面を回転可能に接触（嵌合）することにより、一対の第一カム溝形成用突起２５に対して回転可能に支持してある。環状突部３０の内周面の互いに１８０°離間した二カ所には第一カムフォロア３１が内周側に向けて突設してある。さらに環状突部３０の内周面の各第一カムフォロア３１と約９０°離間した二カ所には第二カム溝３２が凹設してある。図５、図７等に示すように第二カム溝３２は環状突部３０の周方向に沿って延びる溝であり、その下面は開放している。さらに第二カム溝３２の上端面は二つの傾斜面により形成してある。即ち、第二カム溝３２の上端面は、ロック部材第一構成部２８を上方から見たときに（ロック部材第一構成部２８の中心軸を中心としかつ第二カム溝３２が位置する円周の）反時計方向側に位置するピン突出用カム面３３と、時計方向側に位置するロック用カム面３４とを有している。ピン突出用カム面３３は反時計方向側から時計方向側に向かうに従って徐々に下方へ向かう傾斜面であり、ロック用カム面３４は反時計方向側から時計方向側に向かうに従って徐々に上方へ向かいかつ傾斜角がピン突出用カム面３３より緩い傾斜面である。環状突部３０の下面には四つの嵌合ピン３５が下向きに突設してある。さらに環状突部３０の下面には４つの雌ネジ孔３６が穿設してある。
【００１９】
本体取付部２２及びロック部材第一構成部２８の内周側空間には端子ユニット３８が配設してある。端子ユニット３８は、大きな構成要素として接点基板３９、端子支持部材４２、防滴部材５３、端子５５、ロックピン５９、圧縮コイルバネ６２、及びボルト６４を具備している。
金属製かつ円盤状の接点基板３９には２つのボルト用孔４０と２つの固定用孔４１が穿設してある。
ボルト用孔４０の直下には樹脂等の絶縁性材料からなる端子支持部材４２が位置している。端子支持部材４２の上半部は接点基板３９と略断面略円形の円形部４３により構成してあり、端子支持部材４２の下半部は断面略矩形の非円形部４４により構成してある。円形部４３の上面には一対の固定用ピン４５が上向きに突設してあり、また一対の雌ネジ孔４６が形成してある。さらに円形部４３の上面には、共に端子支持部材４２を上下方向に貫通する四本の端子受容孔４８と一本のロックピン受容孔４９が形成してある。図９−図１１に示すように端子受容孔４８は内径が二段階で変化している。即ち、端子受容孔４８はその下端部を構成する小径下端部４８ａと、小径下端部４８ａより上方に位置する部分を構成する小径下端部４８ａより大径の大径部４８ｂと、を有している。なお図示は省略してあるがロックピン受容孔４９も端子受容孔４８と同様の構造であり、小径下端部と、該小径下端部より大径の大径部と、を有している。さらに円形部４３の外周面の１８０°離間した二カ所には支持突起５０が一体的に突設してある。各支持突起５０の先端面には円柱形状の第二カムフォロア５１が固定状態で突設してある。
【００２０】
非円形部４４の下端面には、非円形部４４と略同じ断面形状をなす防滴部材５３が固着してある。防滴部材５３は弾性を有する柔軟な材料（例えばスポンジ）により構成したものである。防滴部材５３には各端子受容孔４８の小径下端部４８ａとロックピン受容孔４９の小径下端部とそれぞれ対応する五つの挿通用孔５４が穿設してある。
端子支持部材４２の各端子受容孔４８とロックピン受容孔４９には共に金属製の略円柱状部材である端子５５とロックピン５９が上方からそれぞれ挿入してある。端子５５は、その上部を構成する大径被支持部５６と、その下部を構成しかつ大径被支持部５６より小径の突出部５７と、を一体的に備えている。ロックピン５９は、その上部を構成する大径被支持部６０と、その下部を構成しかつ大径被支持部６０より小径の突出部６１と、を一体的に備えている。端子５５は、その突出部５７が小径下端部４８ａに遊嵌しかつ大径被支持部５６が大径部４８ｂに遊嵌する態様で各端子受容孔４８に上下動可能に挿入してある（図９−図１１参照。大径部４８ｂの底部には止水用Ｏリングが設けてある）。大径被支持部５６の外径が小径下端部４８ａより大きいので、端子５５は大径被支持部５６の下面が大径部４８ｂの底面を超えて端子支持部材４２に対して下方へ移動することはない。一方、ロックピン５９は、その突出部６１が上記小径下端部に遊嵌しかつ大径被支持部６０が大径部に遊嵌する態様で各ロックピン受容孔４９に上下動可能に挿入してある（大径部の底部にも止水用Ｏリングが設けてある）。端子５５と同様に大径被支持部６０の外径が小径下端部より大きいので、ロックピン５９は大径被支持部６０の下面が大径部の底面を超えて端子支持部材４２に対して下方へ移動することはない。
【００２１】
さらに端子支持部材４２の四つの端子受容孔４８とロックピン受容孔４９には、各端子５５とロックピン５９の上方から５つの圧縮コイルバネ６２がそれぞれ挿入してある。
そして接点基板３９が、その下面によって各圧縮コイルバネ６２を下方に押圧しながら（圧縮コイルバネ６２を圧縮方向に弾性変形させながら）円形部４３（端子支持部材４２）の上面に対して被せてある。さらに円形部４３の一対の固定用ピン４５が接点基板３９の一対の固定用孔４１に対して嵌合しかつ接点基板３９のボルト用孔４０に対して上方から挿入した一対のボルト６４が一対の雌ネジ孔４６に螺合してあるので、接点基板３９の下面と円形部４３（端子支持部材４２）の上面の当接状態が保持されている。その結果、端子５５は対応する圧縮コイルバネ６２によって常に下向きに付勢されるので、端子５５に対して上向きの力が及ばないとき、端子５５の大径被支持部５６の下端面が対応する（端子受容孔４８の大径部４８ｂの底部に設けた）上記止水用Ｏリングに当接しかつ突出部５７が挿通用孔５４を通って防滴部材５３の下端面から下方に突出する。同様に、ロックピン５９も対応する圧縮コイルバネ６２によって常に下向きに付勢されるので、ロックピン５９に対して上向きの力が及ばないとき、ロックピン５９の大径被支持部の下端面が対応する（ロックピン受容孔４９の大径部の底部に設けた）上記止水用Ｏリングに当接しかつ突出部６１が挿通用孔５４を通って防滴部材５３の下端面から下方に突出する。
以上構成の端子ユニット３８は、端子支持部材４２の一対の第二カムフォロア５１がロック部材第一構成部２８の一対の第二カム溝３２に対してそれぞれ係合する態様で、本体取付部２２及びロック部材第一構成部２８の内周側空間に配設してある（図９−図１１参照）。
【００２２】
ロック部材第一構成部２８の下部の内周側空間には、略円環状をなしかつ樹脂等の絶縁性材料からなるロック部材第二構成部６７が設けてある。ロック部材第二構成部６７の内径は二段階で変化しており、ロック部材第二構成部６７の下部を構成する環状突部６８の内周面は中央貫通孔６９により構成してある。ロック部材第二構成部６７の上面の周方向に１８０°離れた二カ所には第二カム溝形成用突起７０がそれぞれ突設してある。第二カム溝形成用突起７０の上端面は、ロック部材第二構成部６７を上方から見たときに（ロック部材第二構成部６７の中心軸を中心としかつ第二カム溝形成用突起７０が位置する円周の）反時計方向側に位置するピン突出用カム面７１と、時計方向側に位置するロック用カム面７２とを有している。ピン突出用カム面７１はピン突出用カム面３３と対応する形状（互いに平行をなす形状）であり、ロック用カム面７２はロック用カム面３４と対応する形状（互いに平行をなす形状）である（図７（ｂ）参照）。さらにロック部材第二構成部６７の外周部には四つのボルト挿通用凹部７３が形成してあり、ロック部材第二構成部６７の上面には四つのピン嵌合孔７４が設けてある。
ロック部材第二構成部６７は、一対の第二カム溝形成用突起７０をロック部材第一構成部２８の対応する第二カム溝３２の直下に位置させながら（ピン突出用カム面３３の直下にピン突出用カム面７１を位置させ、ロック用カム面３４の直下にロック用カム面７２を位置させながら）ロック部材第一構成部２８の下部の内周側空間（環状突部３０の直下の空間）に嵌合しかつロック部材第一構成部２８の各嵌合ピン３５を各ピン嵌合孔７４に対して嵌合した状態で、ロック部材第一構成部２８に対して下方から装着してある。そして各ロック部材第二構成部６７のボルト挿通用凹部７３に対して下方から挿入した四本のボルト７５をロック部材第一構成部２８の雌ネジ孔３６に対して螺合してあるので、ロック部材第一構成部２８とロック部材第二構成部６７は一体状態を保持し、さらに一体化したロック部材第一構成部２８とロック部材第二構成部６７がロック部材２７を構成する。このようにしてロック部材２７を構成すると、端子支持部材４２の一対の第二カムフォロア５１が第二カム溝３２の上端面（ピン突出用カム面３３とロック用カム面３４）と第二カム溝形成用突起７０の上端面（ピン突出用カム面７１とロック用カム面７２）によって挟持される（図７（ｂ）参照）。
【００２３】
シュー２１の下端部は樹脂等の絶縁性材料からなるベース７８によって構成してある。
ベース７８の上部は断面略円形の固定接続部７９により構成してあり、ベース７８の下部は平面視略矩形の取付部８０（ロック機構）により構成してある。
固定接続部７９には周方向に１８０°離間した一対のスリット８２が形成してある。さらに固定接続部７９の上面には四つの雌ネジ孔８３が穿設してある。さらに固定接続部７９の外周面の周方向に約１８０°離間した二カ所には一対の第一カム溝８５が凹設してある。図５、図７等に示すように第一カム溝８５は固定接続部７９の周方向に沿って延びる溝であり、その上面は開放している。さらに第一カム溝８５の底面は二つの面により形成してある。即ち、第一カム溝８５の底面は、固定接続部７９を上方から見たときに（固定接続部７９の中心軸を中心としかつ第一カム溝８５が位置する円周の）時計方向側に位置するピン突出許容カム面８６と、反時計方向側に位置するピン突出量調整用カム面８７とを有している。ピン突出許容カム面８６はピン突出許容カム面２５ａと対応する形状（互いに平行をなす形状）であり、ピン突出量調整用カム面８７はピン突出量調整用カム面２５ｂと対応する形状（互いに平行をなす形状）である（図８参照）。
取付部８０の中央部には、取付部８０を上下方向に貫通しかつ端子支持部材４２及び防滴部材５３と略同じ断面形状をなす非円形貫通孔８９が穿設してある。
ベース７８は、固定接続部７９の上端面を本体取付部２２の下端面に当接しかつ本体取付部２２の上方から各ボルト用貫通孔２６に挿入した四本のボルト７７を各雌ネジ孔８３に対して螺合することにより、本体取付部２２の下面に対して固定してある。ベース７８を本体取付部２２に対して固定すると、二つの第一カム溝８５の上部に対して本体取付部２２の一対の第一カム溝形成用突起２５が嵌合しかつ各第一カム溝形成用突起２５の外周面と固定接続部７９の外周面が連続し、さらに第一カム溝形成用突起２５及び固定接続部７９の外周面がロック部材第一構成部２８の回転支持孔３０ａ及びロック部材第二構成部６７の中央貫通孔６９に回転可能に接触するので、ロック部材２７が上下方向に延びる自身の軸線回りに本体取付部２２及びベース７８に対して回転可能となる。また端子支持部材４２の一対の支持突起５０が一対のスリット８２に上下動可能に遊嵌する。さらにロック部材第一構成部２８の一対の第一カムフォロア３１が一対の第一カム溝８５内にスライド自在に嵌合し、第一カム溝形成用突起２５の下端面（ピン突出許容カム面２５ａとピン突出量調整用カム面２５ｂ）と第一カム溝８５の底面（ピン突出許容カム面８６とピン突出量調整用カム面８７）によって上下から挟持される。
さらに固定接続部７９の外周面には、金属製の弾性部材であるグランド接点部材９２が装着してある。このグランド接点部材９２は、ストロボ本体内に設けたグランド端子（図示略）と中間部材（導電性部材）を介して接続している。
【００２４】
以上説明したように本体取付部２２及びベース７８とロック部材２７の間には第一カム溝形成用突起２５及び第一カム溝８５と第一カムフォロア３１を備える第一カム機構（ロック部材移動機構）が設けてあり、ロック部材２７（ロック部材第一構成部２８及びロック部材第二構成部６７）と端子支持部材４２（端子ユニット３８）の間には第二カム溝３２及び第二カム溝形成用突起７０と第二カムフォロア５１を備える第二カム機構（端子移動機構）が設けてある。そして、この第一カム機構（ロック部材移動機構）と第二カム機構（端子移動機構）を備える移動機構の働きによって、ロック部材２７と端子ユニット３８は本体取付部２２及びベース７８に対して以下のように相対移動する。
【００２５】
ロック部材２７（ロック部材第一構成部２８及びロック部材第二構成部６７）が図１、図２、及び図９に示す最大離間位置に位置するとき、ロック部材２７が取付部８０に対して上方へ最大限離間し、ロック部材２７と取付部８０との上下間隔がアクセサリーシュー１２の被挟持部１５の厚み（上下寸法）より大きくなる。このときロック部材２７（ロック部材第一構成部２８）の一対の第一カムフォロア３１は第一カム溝８５の時計方向側端部に係合（ピン突出許容カム面２５ａとピン突出許容カム面８６の時計方向側端部と係合）する（図８の符号３１Ａ参照）。また、端子ユニット３８の一対の第二カムフォロア５１は第二カム溝３２の反時計方向側端部に係合（ピン突出用カム面３３とピン突出用カム面７１の反時計方向側端部と係合）する（図７（ｂ）の符号５１Ａ参照）。端子支持部材４２及び防滴部材５３が非円形貫通孔８９内に位置するので、端子ユニット３８のベース７８（本体取付部２２）に対する相対回転は規制されており、端子ユニット３８はベース７８（本体取付部２２）に対して上下動のみ許容されている。さらに端子５５の突出部５７及びロックピン５９の突出部（下端部）は、防滴部材５３の対応する挿通用孔５４内に位置し（防滴部材５３の下端面から下方に突出せず）かつ取付部８０の下端面より上方に位置する（図９参照。但しロックピン５９は図示略）。さらに防滴部材５３の下面も取付部８０の下端面より上方に位置する（図９−図１１では防滴部材５３の図示を省略している）。
【００２６】
摘み部２９を利用しながら最大離間位置に位置するロック部材２７を平面視で反時計方向に回転させると、ロック部材２７が図１０に示す中間位置まで回転する。ロック部材２７が最大離間位置から中間位置まで回転するとき、ロック部材２７の一対の第一カムフォロア３１は第一カム溝８５の中間部に係合（ピン突出許容カム面２５ａとピン突出許容カム面８６の反時計方向側端部と係合）する（図８の符号３１Ｂ参照）。上記したようにピン突出許容カム面２５ａとピン突出許容カム面８６は水平面により構成したカム面であるため、ロック部材２７のベース７８に対する上下方向位置は最大離間位置のときと同じままである。一方、ロック部材２７が最大離間位置から中間位置まで回転すると、端子ユニット３８の一対の第二カムフォロア５１は第二カム溝３２の中間部に係合（ピン突出用カム面３３とピン突出用カム面７１の時計方向側端部と係合）する（図７（ｂ）の符号５１Ｂ参照）。そのため、支持突起５０が対応するスリット８２内を下方へ移動しかつ端子支持部材４２及び防滴部材５３が非円形貫通孔８９内を下方へ移動しながら端子ユニット３８全体がベース７８に対して下方へ移動するので、端子５５及びロックピン５９が最大離間位置に位置するときよりもベース７８に対して下方へ相対移動する。そのため、端子５５の突出部５７及びロックピン５９の突出部（下端部）が、防滴部材５３の下端面から下方に突出しかつ取付部８０の下端面から下方へ突出する（図１０参照。但しロックピン５９は図示略）。さらに防滴部材５３の下部が取付部８０の下端面より下方へ突出する（図示略）。
【００２７】
摘み部２９を利用しながらロック部材２７を平面視で反時計方向に回転させると、ロック部材２７が図１１に示す挟持位置まで回転する。ロック部材２７が中間位置から挟持位置まで回転するとき、ロック部材２７の一対の第一カムフォロア３１は第一カム溝８５の反時計方向側端部に係合（ピン突出量調整用カム面２５ｂとピン突出量調整用カム面８７の反時計方向側端部と係合）する（図８の符号３１Ｃ参照）。上記したようにピン突出量調整用カム面２５ｂとピン突出量調整用カム面８７は反時計方向側に進むに従って下方へ延びる傾斜カム面であるため、ロック部材２７のベース７８に対する上下方向位置は最大離間位置及び中間位置のときよりも下方となる。その結果、ロック部材２７と取付部８０との上下間隔がアクセサリーシュー１２の被挟持部１５の厚み（上下寸法）と同じか又は僅かに小さくなる。またロック部材２７が中間位置から挟持位置まで回転すると、端子ユニット３８の一対の第二カムフォロア５１は第二カム溝３２の時計方向側端部に係合（ロック用カム面３４とロック用カム面７２の時計方向側端部と係合）する（図７（ｂ）の符号５１Ｃ参照）。そのため端子ユニット３８（端子５５、ロックピン５９）は中間位置に位置するときよりもロック部材２７に対して上方へ相対移動する。但し、ロック部材２７が中間位置から挟持位置まで回転するときの端子ユニット３８（端子５５、ロックピン５９）のロック部材２７に対する上方への相対移動量よりも、ロック部材２７が中間位置から挟持位置まで回転するときのロック部材２７のベース７８に対する下方への相対移動量が大きいので、端子５５及びロックピン５９は中間位置に位置するときよりもベース７８に対して下方へ移動する。その結果、（端子５５及びロックピン５９の下方への突出が他の部材によって妨げられないとき）端子５５の突出部５７及びロックピン５９の突出部（下端部）の防滴部材５３の下端面及び取付部８０の下端面からの下方への突出量が中間位置に位置するときよりも大きくなる。また支持突起５０が対応するスリット８２内を下方へ移動しかつ端子支持部材４２及び防滴部材５３が非円形貫通孔８９内を下方へ移動しながら端子ユニット３８全体がベース７８に対して中間位置のときよりも下方へ移動するので、（防滴部材５３の下方への突出が他の部材によって妨げられないとき）防滴部材５３の下部の取付部８０の下端面からの下方への突出量が中間位置に位置するときよりも大きくなる。
【００２８】
続いてストロボ２０のカメラ１０に対する着脱要領について説明する。
図１、図２に示すようにカメラ１０から離間させたストロボ２０のロック部材２７を最大離間位置に位置させて、端子５５及びロックピン５９の下端部を防滴部材５３及び取付部８０の下端面より上方に位置させておく。そしてアクセサリーシュー１２の後端開口から左右の被挟持部１５と底板部１３の間の空間に取付部８０を挿入する（図９（ａ）参照）。このとき取付部８０の前端部を底板部１３の前後方向の中間部と同じ位置に位置させ（底板部１３の前端部より後方に位置させ）、端子５５及びロックピン５９を露出用切欠１３ａの直上に位置させる。取付部８０の厚み（上下寸法）は底板部１３と被挟持部１５の間の隙間（上下寸法）より短くかつ端子５５及びロックピン５９の下端部が取付部８０の下端面より上方に位置している（取付部８０の下端面から下方に突出していない）ので、このとき取付部８０を左右の被挟持部１５と底板部１３の間の空間に対して円滑に挿入できる。
【００２９】
続いて、ロック部材２７を中間位置まで回転操作して端子５５及びロックピン５９の下端部を防滴部材５３及び取付部８０の下端面から下方へ突出させて、各端子５５の下端部を露出用切欠１３ａを介して露出した外装ケース１１ａの上面に接触させる（図１０参照）。すると取付部８０の上面が左右の被挟持部１５の下面に接触した状態で、端子５５（の突出部５７）及びロックピン５９（の突出部）が外装ケース１１ａから受ける反力によって対応する圧縮コイルバネ６２を圧縮方向に弾性変形させながら端子支持部材４２（取付部８０）に対して僅かに上方へ相対移動し、かつ、防滴部材５３が底板部１３と接触することにより上下方向に圧縮されるので、取付部８０（シュー２１）がアクセサリーシュー１２に対してガタつかなくなる。この状態で取付部８０（シュー２１）をアクセサリーシュー１２（カメラボディ１１）に対して前方にスライドさせると、各端子５５の突出部５７が対応する各カメラ側端子１１ｂの表面上を摺動しながら前方へ相対移動するので、突出部５７やカメラ側端子１１ｂの表面に付着していた酸化膜や汚れが除去される。そのため各端子５５（突出部５７）とカメラ側端子１１ｂが確実に導通可能となる。またロックピン５９がロック用凹部１１ｃと対応する位置までスライドすると、対応する圧縮コイルバネ６２の付勢力によってロックピン５９が端子支持部材４２（及びベース７８）に対して下方へ相対移動し、その下端部（突出部）がロック用凹部１１ｃに対して係合する。このとき操作者はロックピン５９とロック用凹部１１ｃの係合に伴うクリック感を感じることができるので、取付部８０（シュー２１）のアクセサリーシュー１２に対する前後位置が正規の装着位置に到達したことを認識できる（但し、クリック感を感じることができないようにロックピン５９とロック用凹部１１ｃを設計し、操作者の目視により取付部８０が正規の装着位置に位置することを認識してもよい）。
【００３０】
この状態でロック部材２７を挟持位置まで回転させると、ロック部材２７の下面が左右の被挟持部１５の上面に対して上方から接触する（図３、図１１（ａ）参照）。即ち、左右の被挟持部１５が取付部８０とロック部材２７によって上下から挟持される。そのため取付部８０（シュー２１）がアクセサリーシュー１２に対して固定される。さらに（端子５５及びロックピン５９の下方への突出が他の部材によって妨げられない場合に、端子５５の突出部５７及びロックピン５９の突出部の取付部８０の下端面からの下方への突出量が中間位置に位置するときよりも大きくなるので）各端子５５とカメラ側端子１１ｂの接触圧力がより高くなり、かつ、ロックピン５９とロック用凹部１１ｃの係合状態がより安定する。さらに（防滴部材５３の下方への突出が他の部材によって妨げられないとき、防滴部材５３の下部の取付部８０の下端面からの下方への突出量が中間位置に位置するときよりも大きくなるので）防滴部材５３が端子支持部材４２と底板部１３によって強い力で圧縮されるので、防滴部材５３と底板部１３の間から水滴等が端子５５の突出部５７とカメラ側端子１１ｂの間に流れて、これらの部材に付着するおそれが殆どなくなる。
このようにしてシュー２１の各端子５５をカメラボディ１１側の各カメラ側端子１１ｂに接触させると、カメラボディ１１内に設けたバッテリ（図示略）の電力が上記電源回路、カメラ側端子１１ｂ、及び端子５５を介してストロボ２０の上記発光部に伝わるので、カメラボディ１１に設けたストロボ操作手段を操作すればストロボ２０の発光部が発光する。
またシュー２１に設けたグランド接点部材９２がアクセサリーシュー１２の内面に接触する。その結果、ストロボ本体内に設けたグランド端子、グランド接点部材９２、アクセサリーシュー１２、及びカメラボディ１１内に設けたアクセサリーシュー１２と接続する金属製シャーシアースが互いに導通する。
【００３１】
ストロボ２０をカメラ１０（アクセサリーシュー１２）から取り外す場合は、ロック部材２７を最大離間位置まで回転させる。すると端子５５及びロックピン５９の下端部が取付部８０及び防滴部材５３の下端面より上方に移動する（取付部８０及び防滴部材５３の下端面から下方に突出しなくなる）ので、取付部８０を左右の被挟持部１５と底板部１３の間の空間からアクセサリーシュー１２の後方へ円滑に取り外すことが可能になる。
【００３２】
以上、上記実施形態を利用して本発明を説明したが、本発明は本実施形態に限定されるものではなく、様々な変更を施しながら実施可能である。
例えば、ストロボ２０以外のカメラ用アクセサリー（例えば、電子ビューファインダー、ＧＰＳ受信アタッチメント、マイク、ホットシューアダプタなど）に本発明を適用してもよい。
ロック部材２７が挟持位置に位置するときの端子５５の突出部５７及びロックピン５９の突出部の取付部８０の下端面からの下方への突出量をロック部材２７が中間位置に位置するときと同じとなるように、ピン突出量調整用カム面２５ｂ、ピン突出量調整用カム面８７、ロック用カム面３４、ロック用カム面７２の傾斜角を設定してもよい。
ロック部材２７がある特定の位置（例えば、最大離間位置、中間位置、挟持位置）に位置したときに、ロック部材２７の回転方向位置をその位置で仮保持する仮保持機構（例えばクリックストップ機構）を設けてもよい。また、ロック部材２７やロック部材２７の周辺部材（例えば本体取付部２２に）ロック部材２７がある特定の位置（例えば、最大離間位置、中間位置、挟持位置）に位置することを表す指標を設けてもよい。
防滴部材５３は本発明の必須の構成要素ではないので、シュー２１から防滴部材５３を省略してもよい。
カメラ１０はミラーレスタイプとは異なるタイプのカメラ（例えば、一眼レフタイプやコンパクトタイプなど）であってもよい。
第一カム溝形成用突起２５及び第一カム溝８５をロック部材２７側に設けて、第一カムフォロア３１をベース７８（及び／又は本体取付部２２）側に設けてもよい。また第二カム溝３２及び第二カム溝形成用突起７０を端子ユニット３８側に設けて、第二カムフォロア５１をロック部材２７側に設けてもよい。
端子５５やカメラ側端子１１ｂの数を一つや四つ以外の複数にしたり、ロックピン５９やロック用凹部１１ｃの数を複数にしてもよい。
【符号の説明】
【００３３】
１０    カメラ
１１    カメラボディ
１１ａ  外装ケース
１１ｂ  カメラ側端子
１１ｃ  ロック用凹部
１２    アクセサリーシュー
１３    底板部
１３ａ  露出用切欠
１４    側壁部
１５    被挟持部
１８    交換レンズ
２０    ストロボ（カメラ用アクセサリー）
２１    シュー
２２    本体取付部
２３    中央貫通孔
２４    ロック部材支持面
２５    第一カム溝形成用突起（第一カム溝）（第一カム機構）（ロック部材移動機構）（移動機構）
２５ａ  ピン突出許容カム面
２５ｂ  ピン突出量調整用カム面
２６    ボルト用貫通孔
２７    ロック部材（ロック機構）
２８    ロック部材第一構成部
２９    摘み部
３０    環状突部
３０ａ  回転支持孔
３１    第一カムフォロア（第一カム機構）（ロック部材移動機構）（移動機構）
３２    第二カム溝（第二カム機構）（端子移動機構）（移動機構）
３３    ピン突出用カム面
３４    ロック用カム面
３５    嵌合ピン
３６    雌ネジ孔
３８    端子ユニット
３９    接点基板
４０    ボルト用孔
４１    固定用孔
４２    端子支持部材
４３    円形部
４４    非円形部
４５    固定用ピン
４６    雌ネジ孔
４８    端子受容孔
４８ａ  小径下端部
４８ｂ  大径部
４９    ロックピン受容孔
５０    支持突起
５１    第二カムフォロア（第二カム機構）（端子移動機構）（移動機構）
５３    防滴部材
５４    挿通用孔
５５    端子
５６    大径被支持部
５７    突出部
５９    ロックピン
６０    大径被支持部
６１    突出部
６２    圧縮コイルバネ
６４    ボルト
６７    ロック部材第二構成部
６８    環状突部
６９    中央貫通孔
７０    第二カム溝形成用突起（第二カム溝）（第二カム機構）（端子移動機構）（移動機構）
７１    ピン突出用カム面
７２    ロック用カム面
７３    ボルト挿通用凹部
７４    ピン嵌合孔
７５  ７７  ボルト
７８    ベース
７９    固定接続部
８０    取付部（ロック機構）
８２    スリット
８３    雌ネジ孔
８５    第一カム溝（第一カム機構）（ロック部材移動機構）（移動機構）
８６    ピン突出許容カム面
８７    ピン突出量調整用カム面
８９    非円形貫通孔
９２    グランド接点部材
【図１】
0006485000.tif 000002
【図２】
0006485000.tif 000003
【図３】
0006485000.tif 000004
【図４】
0006485000.tif 000005
【図５】
0006485000.tif 000006
【図６】
0006485000.tif 000007
【図７】
0006485000.tif 000008
【図８】
0006485000.tif 000009
【図９】
0006485000.tif 000010
【図１０】
0006485000.tif 000011
【図１１】
0006485000.tif 000012